(57)【特許請求の範囲】
【請求項１】
浄水器から浄水を電解槽に送る通水本管を途中で電解槽の陰極室に至る流入管と陽極室に至る流入管とに分岐して配管し、更に電解槽に陰極室から出る流出管と陽極室から出る流出管とを設け、その通水本管の水路に酸性水のｐＨ値を下げる物質を添加するｐＨ調整物質添加槽を備えたイオン水生成器において、上記電解槽の陽極室に入る添加水量を多く、陰極室に入る添加水量を少なくし、又陰極室から出るアルカリ性水量を多く、陽極室から出る酸性水量を少なくして、その陽陰各極室に入る添加水量の流量比を陰陽各極室から出るアルカリ性水と酸性水との流量比より大きくすることを特徴とするｐＨ調整物質添加槽を備えたイオン水生成器。
【請求項２】
浄水器から浄水を電解槽に送る通水本管を途中で電解槽の陰極室に至る流入管と陽極室に至る流入管とに分岐して配管し、更に電解槽に陰極室から出る流出管と陽極室から出る流出管とを設け、その流入側の管水路に浄水のｐＨ値を調整する物質を添加するｐＨ調整物質添加槽を備えたイオン水生成器において、上記ｐＨ調整物質添加槽を構成する一端部を閉鎖し、他端部を開閉自在のキャップで閉じる外筒に、通水本管と、陰極室流入管又は陽極室流入管或いは両室流入管のいずれかの働きをする２本の流入管とを備え付けて、その外筒の内部空間に各管の内部空間を連通し、更に通水本管と１本の流入管とを連通管により結合し、その連通管を結合した流入管の外筒と連通管を結ぶ一部水路を連通管と結合する他部水路より細くし、又陽極室流出管の水路を陰極室流出管の水路より細くして、それ等の細める割合を流入管側で大きく、流出管側で小さくし、アルカリ性水が必要な場合にはその外筒内に、収納したカルシウムイオン濃度を上げる物質を浸す水通過口を有し、キャップ閉鎖時に通水本管の内部開口を閉じるアルカリ性水ｐＨ調整物質収納交換用中筒を入れて、アルカリ性水ｐＨ調整物質添加槽ユニットとして用い、酸性水が必要な場合にはその外筒内に、収納したｐＨ値を下げる物質を浸す水通過口を有し、キャップ閉鎖時に連通管を閉じる酸性水ｐＨ調整物質収納交換用中筒を入れて、酸性水ｐＨ調整物質添加槽ユニットとして用いることを特徴とするｐＨ調整物質添加槽を備えたイオン水生成器。
【発明の詳細な説明】
【０００１】
【発明の属する技術分野】
本発明は水道水等の原水を浄化した後、ｐＨ調整物質を添加してイオン水を生成するイオン水生成器に関する。
【０００２】
【従来の技術】
近年、安全でおいしく、健康に良い水が求められるようになった。このような水として、水道水等の原水を電気分解して得られる水が注目され、一般家庭や料理店等にイオン水生成器が普及し始めている。イオン水生成器を用いると、原水を電気分解してアルカリ性水、酸性水等のイオン水を得て使用することができる。その際、アルカリ性水は制酸効果、膨潤効果等を有するため飲料用或いは料理用等に使用し、酸性水はアストリンゼン効果等を有するため化粧水等として使う。特に、強酸性水は何日か放置しておくと普通の水に戻るため環境を汚染することがなく、茶渋落とし等の洗い物用の水に適している。
【０００３】
一般に、イオン水生成器は浄水器、ｐＨ調整物質添加槽、電解槽、各通水管、マイクロコンピュータ等を備える制御回路部品、電源トランス等を備える電力回路部品等をまとめてケース中に収納し、全体を小形化して取り扱い易くしてある。使用時、水道の蛇口等にイオン水生成器の取水口を結合し、水道水等の原水を送り込む。すると、先ず浄水器によって水の浄化を行なえる。その際、浄水器に例えば抗菌活性炭と中空糸膜とを用いたものを使用すると、活性炭でカルキ臭やかび臭等の臭いのもとになる物質を分解し、中空糸膜で雑菌等を取り除くことができる。
【０００４】
次に、浄化した水をｐＨ調整物質添加槽に送り込むと、その添加槽でアルカリ性水のカルシウムイオン濃度を上げる例えば乳酸カルシウムを水に溶かして添加し、或いは酸性水のｐＨ値を下げる例えば食塩を水に溶かして添加できる。そこで、浄水、添加水等を電解槽に送り込むと、電気分解を行なって隔膜で仕切った陰極室からアルカリ性水又陽極室から酸性水をそれぞれ得ることができる。その際、アルカリ性水のカルシウムイオン濃度を上げる乳酸カルシウム等は電解槽の陽極室に入る水に添加し、酸性水のｐＨ値を下げる食塩等は陰極室と陽極室に入る水にそれぞれ添加する。なお、カルシウムイオン濃度を上げる物質を水に添加した場合にも、当然生成水のｐＨ値が変化する。
【０００５】
【発明が解決しようとする課題】
しかしながら、このようなイオン水生成器を用いても、カルキ臭が無くなるだけで、塩素イオンは水に溶けて電解槽に達する。それ故、電気分解によって陽極室に塩素ガスが発生する。この塩素ガスは酸性水と一緒に隔膜を通過して陰極室に入り易い。すると、飲料用等に使用するアルカリ性水に酸性水が混じるばかりでなく、アルカリ性水が塩素ガス臭くなる。又、陰極室で発生したアルカリ性水も隔膜を通過して陽極室に入り易く、酸性水にアルカリ性水が混じるため、食塩を添加しても、純度の高い強酸性水を得難いという問題がある。なお、陽極室に入る水のみに食塩を添加しても、陰極室側の導電率が上がり難いため、強酸性水を得ることができない。
【０００６】
本発明はこのような従来の問題点に着目してなされたものであり、第１にｐＨ値、酸化還元電位の安定した純度の高い強酸性水を生成できるｐＨ調整物質添加槽を備えたイオン水生成器を提供することを目的とする。
【０００７】
又、第２にｐＨ調整物質添加槽中に、弱アルカリ性水が必要な場合にはカルシウムイオン濃度上昇物質を入れて使用し、強酸性水が必要な場合にはｐＨ値下降物質を入れて使用できると共に、そのｐＨ調整物質の交換を簡単に行なえるｐＨ調整物質添加槽を備えたイオン水生成器を提供することを目的とする。
【００１０】
【課題を解決するための手段】
上記目的を達成するために、本発明による第１目的対応のｐＨ調整物質添加槽を備えたイオン水生成器では、浄水器から浄水を電解槽に送る通水本管を途中で電解槽の陰極室に至る流入管と陽極室に至る流入管とに分岐して配管し、更に電解槽に陰極室から出る流出管と陽極室から出る流出管とを設け、その通水本管の水路に酸性水のｐＨ値を下げる物質を添加するｐＨ調整物質添加槽を備える。
【００１１】
そして、電解槽の陽極室に入る添加水量を多く、陰極室に入る添加水量を少なくし、又陰極室から出るアルカリ性水量を多く、陽極室から出る酸性水量を少なくして、その陽陰各極室に入る添加水量の流量比を陰陽各極室から出るアルカリ性水と酸性水との流量比より大きくする。そのためには、陰極室流入管の水路に径の小さなオリフィスを設ける等して、陽極室流入管の水路を陰極室流入管の水路より太くし、更に陽極室流出管の水路に陰極室流入管の水路に設けたオリフィスより径の大きなオリフィスを設ける等して、陰極室流出管の水路を陽極室流出管の水路より太くすればよい。
【００１２】
又、第２目的対応のｐＨ調整物質添加槽を備えたイオン水生成器では、浄水器から浄水を電解槽に送る通水本管を途中で電解槽の陰極室に至る流入管と陽極室に至る流入管とに分岐して配管し、更に電解槽に陰極室から出る流出管と陽極室から出る流出管とを設け、その流入側の管水路に浄水のｐＨ値を調整する物質を添加するｐＨ調整物質添加槽を備える。
【００１３】
そして、ｐＨ調整物質添加槽を構成する一端部を閉鎖し、他端部を開閉自在のキャップで閉じる外筒に、通水本管と、陰極室流入管又は陽極室流入管或いは両室流入管のいずれかの働きをする２本の流入管とを備え付けて、その外筒の内部空間に各管の内部空間を連通し、更に通水本管と１本の流入管とを連通管により結合し、その連通管を結合した流入管の外筒と連通管を結ぶ一部水路を連通管と結合する他部水路より細くし、又陽極室流出管の水路を陰極室流出管の水路より細くして、それ等の細める割合を流入管側で大きく、流出管側で小さくする。
【００１４】
その上で、アルカリ性水が必要な場合にはその外筒内に、収納したカルシウムイオン濃度を上げる物質を浸す水通過口を有し、キャップ閉鎖時に通水本管の内部開口を閉じるアルカリ性水ｐＨ調整物質収納交換用中筒を入れて、アルカリ性水ｐＨ調整物質添加槽ユニットとして用い、酸性水が必要な場合にはその外筒内に、収納したｐＨ値を下げる物質を浸す水通過口を有し、キャップ閉鎖時に連通管を閉じる酸性水ｐＨ調整物質収納交換用中筒を入れて、酸性水ｐＨ調整物質添加槽ユニットとして用いる。
【００１５】
【発明の実施の形態】
以下、添付図面に基づいて、本発明の実施の形態を説明する。
図１は本発明を適用したイオン水生成器に備えるアルカリ性水ｐＨ調整物質添加槽ユニットの要部を示す部分断面図である。図中、１０はアルカリ性水ｐＨ調整物質添加槽ユニット、１２はそのユニット１０のアルカリ性水ｐＨ調整物質添加槽、１４は浄水器（図示なし）から浄水を電解槽に送る通水本管、１６は通水本管１４に流れる浄水を分けて、電解槽の陰極室と陽極室に送る水の流量比を調節する流入管、１８は通水本管１４と流量比調節用流入管１６とを連通する連通管である。なお、添加槽１２には流入管１６を含めて２本の流入管を備え付ける。
【００１６】
このアルカリ性水ｐＨ調整物質添加槽１２は下端部を閉鎖し上端部を開放した外側円筒２０と、同様に下端部を閉鎖し上端部を開放したアルカリ性水ｐＨ調整物質収納交換用の中側円筒２２と、それ等の中外両筒２０、２２の上端部を閉じる開閉自在のキャップ２４等から構成する。そして、外筒２０には通水本管１４と２本の流入管１６等の各端部をそれぞれ結合して、その外筒２０の内部空間に各管１４、１６等の内部空間を連通する。その際、通水本管１４はその上端部が外筒２０の底壁中央から少し内方に突出するように設置し、各流入管１６等はその上端開口が外筒２０の下端部側壁を一部外方に突出させて２箇所設けた内部空間拡張部２６（２６ａ、２６ｂ）にそれぞれ連通するように配設する。又、外筒２０にはその上端部の側壁内面の対称位置に、閉鎖時にキャップを回しながら押し込んでその上部側壁の対称位置にある突起２８（２８ａ、２８ｂ）をそれぞれ嵌める上端が開放した斜め溝３０（３０ａ、３０ｂ）を設ける。
【００１７】
又、中筒２２はその底壁３２を円錐台状に内側に突出し、下端部側壁に水通過口３４を数箇所例えば６箇所均等に配設する。そして、各水通過口３４をそれぞれ網３６で閉じる。更に、中筒２２にはその上端部の側壁外面の対称位置にキャップ２４との連結用突起３８（３８ａ、３８ｂ）をそれぞれ設ける。それ故、キャップ２４の下部側壁には中筒２２の上端部にキャップ２４を被せて押し込み、回しながら嵌める下端が開放した細長いＬ形状の貫通穴４０（４０ａ、４０ｂ）を対称位置にそれぞれ設ける。そして、キャップ２４には更にその頂部につまみ４２を設け、側壁の外面中央に密閉用Ｏリング４４を嵌める。
【００１８】
この中筒２２はキャップ２４のみで閉鎖してもよいが、中筒２２の密閉度を上げ、キャップ２４と中筒２２との連結強度を上げるため、中筒２２の上端部に押し込んで用いる中蓋（図示なし）を使用する。そこで、中蓋の本体を下端部を閉じ上端部を開放した円筒体とし、その底壁中央から上方に向けてつまみ用の突起を設ける。又、中蓋には中筒２２内への落ちこみを防ぐため、その円筒体の上縁に中筒２２の上縁を被う鍔部を設ける。なお、４６は後述する酸性水ｐＨ調整物質収納交換用中筒に備え付けたステンレスリングを検出するための金属センサーである。
【００１９】
そして、流量比調節用流入管１６には電解槽の陰極室と陽極室に送る水の流量比を調節するため、その外筒２０と連通管１８を結ぶその一部４８の水路の入口付近にオリフィス５０を設ける。それ故、通水本管１４に送られてくる浄水が連通管１８を経て流入管１６に入ると分流し、一部の水はアルカリ性水ｐＨ調整物質添加槽１２を通過して電解槽の陽極室へ行き、大部分の水は陰極室へ行く。
【００２０】
使用時には、先ず中筒２２の中にアルカリ性水のカルシウムイオン濃度を上げる調整物質として、例えば乳酸カルシウムの錠剤を数個入れる。そして、中蓋をしキャップ２４を被せて、キャップ２４と中筒２２とを連結する。次に、それ等を外筒２０の中に入れキャップ２４を締めて、外筒２０を閉じる。すると、中筒２４の底壁３２で通水本管１４の内部開口５２を被うようにして外筒２０の底壁５４に押し付け、通水本管１４から添加槽１２中への水の流入を遮断できる。
【００２１】
このため、水道水等の原水を浄水器によって浄化した後、通水本管１４に送り込むと、図２の矢印で示すように浄水は流れて行く。そして、大部分の浄水は流入管１６をそのまま通過して電解槽の陰極室に流れ込むが、オリフィス５０を通過した一部の浄水は流入管１６の一部４８を通過して添加槽１２に入り、乳酸カルシウムの錠剤５６を浸し、それを溶かし込んだ添加水となって、他の流入管５８を経て陽極室に入る。このようにオリフィス５０等を設けると、流量比調節用流入管１６の外筒２０と連通管１８を結ぶ一部４８の水路を連結管１８と結合する他部６０の水路より細くし、陰極室に入る浄水量を多く、陽極室に入る添加水量を少なくして流量比を相当大きくすることができる。その際、浄水量と添加水量との流量比を８対１にすると好ましくなる。
【００２２】
このような浄水と添加水の入る電解槽は図３に示すような構成を備えている。図中、６２が電解槽、６４がその陰極室、６６が陽極室、６８が両室６４、６６を仕切る隔膜、７０が陰極、７２が陽極である。又、７４が添加槽ユニット１０の流入管１６と連結する流入管、７６がその流入管５８と連結する流入管、７８がアルカリ性水を送り出す流出管、８０が酸性水を送り出す流出管、８２がその流出管８０の水路の入口付近に設けたオリフィスである。このようにオリフィス８２等を設けると、流出管８０の水路を流出管７８の水路より細くし、陰極室６４から出るアルカリ性水量を多く、陽極室６６から出る酸性水量を少なくして、その流量比を両室６４、６６にそれぞれ入る浄水と添加水の流量比より小さくすることができる。その際、アルカリ性水と酸性水との流量比を３対１にすると好ましくなる。
【００２３】
このようにして、電解槽６２の陰極室６４に入る浄水量を多く、陽極室６６に入る添加水量を少なくし、又陰極室６４から出るアルカリ性水量を多く、陽極室６６から出る酸性水量を少なくして、その陰陽各極室６４、６６に入る浄水と添加水量との流量比を陰陽各極室６４、６６から出るアルカリ性水と酸性水との流量比より大きくすると、陰極室６４に入る浄水量が多く、その室６４から出るアルカリ性水量は少なくなり、陽極室６６に入る添加水量が少なく、その室６６から出る酸性水量は多くなる。このため、浄水や添加水に溶けて電解槽６２に流入した塩素イオンにより、塩素イオンはマイナスイオンであるため電気分解によって陽極室６６に塩素ガスが発生し、その塩素ガスが陰極室６４に入ろうとしても、陰極室６４から隔膜６８を通って陽極室６６に入り流出管８０から流れ出すアルカリ性水の水流に妨げられ、塩素ガスは酸性水等と一緒に流出管８０から送り出される。それ故、陰極室６４の流出管７８から出るアルカリ性水に塩素ガスが含まれ難く、酸性水も混じり難い。
【００２４】
又、添加水に溶けて電解槽６２に流入した乳酸カルシウムは乳酸イオンとカルシウムイオンとに分離し、カルシウムイオンはプラスイオンであるため、陰極室６４に達する。それ故、水に乳酸カルシウムを加えると、アルカリ性水のカルシウムイオン濃度とｐＨ値を高めて安定化させることができる。しかし、実際には多量の乳酸カルシウムを加えると隔膜６８に付着して不都合を発生するので、原水に含まれるカルシウム塩（炭酸水素カルシウム、硫酸カルシウム等）が少ない時に電気分解補助剤として加える程度にした方がよい。しかも、このようにして陰極室６４の流出管７８から出るアルカリ性水に酸性水が混じらないようにすると、そのアルカリ性水の酸化還元電位（ＯＲＰ）も安定して−５０ｍＶ程になるため、飲料水として体に最も適した弱アルカリ性水になる。なお、電解槽６２には０〜４０Ｖの可変電圧を印加するが、当然電圧値が高い程ｐＨ値も高くなる。
【００２５】
図４は本発明を適用したイオン水生成器に備える酸性水ｐＨ調整物質添加槽ユニットの要部を示す部分断面図である。この酸性水ｐＨ調整物質添加槽ユニット８４と上述したアルカリ性水ｐＨ調整物質添加槽ユニット１０とを比べると、そのアルカリ性水ｐＨ調整物質収納交換用中筒２２に替え、酸性水ｐＨ調整物質収納交換用中筒８６を用いて酸性水ｐＨ調整物質添加槽８８を構成している点が異なる。そして、酸性水ｐＨ調整物質収納交換用中筒８６を用いることによって水路構成が異なるようになる。しかし、その他のユニット構成は同一であるので、以下必要に応じて対応する同一部分には同一の符号を使用する。
【００２６】
この中筒８６も下端部を閉鎖し上端部を開放した円筒体にし、その底壁９０を円錐台状に内側に突出する。そして、底壁９０の中央に連通管１８を閉鎖して、通水本管１４の水を内部空間内に導くための突出管９２を設け、下端部側壁に水通過口９４を数箇所例えば４箇所均等に配設する。又、水通過空間部９６の天井に当る位置を閉鎖し、そこをｐＨ値を下げる物質例えば食塩を収納する空間部の底壁９８に形成して、そこに数箇所例えば中央とその左右の３箇所に少量の水出入り用の小孔を設ける。又、中央部側壁の外面に帯状のステンレスリング１００を巻回して装着し、上端部側壁の外面の対称位置にキャップ２４との連結用突起１０２（１０２ａ、１０２ｂ）をそれぞれ設ける。なお、この酸性水ｐＨ調整物質収納交換用中筒８６にも中蓋を用いるが、その中蓋はアルカリ性水調整物質収納交換用中筒２２との兼用蓋にする。
【００２７】
使用時には、先ず中筒８６のｐＨ調整物質収納空間部に食塩を入れる。そして、同様に中蓋をしキャップ２４を嵌めて、キャップ２４と中筒８６とを連結する。更に、それ等を外筒２０の中に入れ、キャップ２４を締めて外筒２０を閉じる。すると、中筒８４の底壁９０に設けた突出管９２を通水本管１４の中に挿入し、連通管１８への水の流入を遮断できる。
【００２８】
このため、通水本管１４に浄水を送り込むと、図５の矢印で示すように水が流れて行き、先ず酸性水ｐＨ調整物質添加槽８８を構成する中筒８６の水通過空間部９６の中に入る。すると、底壁９８に設けた各小孔１０４を通じてｐＨ調整物質収納空間部１０６の中に入り、食塩１０８を浸してそれを少量ずつ溶かし込んだ添加水となる。そして、中筒８６の内部で分流し、図６に示すように流入管１６にはオリフィス５０を設けてあるため、大部分の添加水は流入管５８を通過して電解槽６２の陽極室６６に流れ込むが、一部の添加水は流入管１６を経て陰極室６４に流れ込む。そこで、陽極室６６と陰極室６４にそれぞれ入る添加水の流量比を相当大きくする。例えば８対１にするのが好ましい。
【００２９】
そして、電解槽６２でアルカリ性水と酸性水を生成して各流出管７８、８０よりそれぞれ送り出すが、流出管８０にはオリフィス８２を設けてあるため、陰極室６４から出るアルカリ性水量を多く、陽極室６６から出る酸性水量を少なくすることができる。その際、アルカリ性水と酸性水との流量比を例えば３対１にするのが好ましい。このようにして、陽極室６６に入る添加水量を多く、陰極室６４に入る添加水量を少なくし、又陰極室６４から出るアルカリ性水量を多く、陽極室６６から出る酸性水量を少なくして、その陽陰各極室６６、６４に入る添加水量の流量比を陰陽各極室６４、６６から出るアルカリ性水と酸性水との流量比より大きくすると、陽極室６６に入る添加水量が多く、その室６６から出る酸性水量は少なくなり、陰極室６４に入る添加水量が少なく、その室６４から出るアルカリ性水量は多くなる。
【００３０】
このため、今度は陽極室６６から隔膜６８を通って陰極室６４に入り、流出管７８より流れ出す酸性水の水流が生じる。それ故、陽極室６６の流出管８０が出る酸性水にアルカリ性水が混じり難い上、各室６４、６６に入る添加水の濃度が等しく槽内の導電率が均一であるため電気分解が進み易くなり、純度の高い強酸性水が得られる。その際、酸性水として陰極室６６に塩酸水、過酸化水素水ができ、陽極室６４に水酸化ナトリウム水ができるが、水酸化ナトリウム水の方はアルカリ性水に混入するので陰極室６４の流出管７８から送り出す。このようにして、水に食塩を加えると酸性水のｐＨ値を２．５程にして安定させることができ、アルカリ性水が混じらないので、酸性水の酸化還元電位を＋１１００ｍＶ以上にして安定化できる。しかも、陽極室６６に多量の塩素ガスが発生するため、酸性水の塩素濃度が３０ｐｐｍ程になる。それ故、茶渋落とし等の洗い物用の水として好適なものになる。なお、従来のイオン水生成器で得られた酸性水はｐＨ値が４程である。
【００３１】
当然、流出管７８から送り出されるアルカリ性水は強アルカリ性水であり、そこに多量の塩素ガスが含まれる。それ故、このようなアルカリ性水を誤って飲料用に使用しないようにしなければならない。そこで、通常の飲料用等に適する弱アルカリ性水を必要とする場合と、衛生水としての強酸性水を必要とする場合とでイオン水生成器の動作モードを異ならしめる。そして、外筒２０の中に酸性水ｐＨ調整物質収納交換用中筒８６を入れた時、ステンレスリング１００を金属センサー４６で検出して、通常モードから強酸性水モードへの切替えを行なう。すると、例えばモータ式スプール弁を駆動して水路を切替え、通常モード時に弱アルカリ性水を放出した放水口から強酸性水モード時には水を放出させないようにし、他の放出口から多量の塩素ガスや水酸化ナトリウムを含む強アルカリ性水を放出させるようにすることができる。それ故、多量の塩素ガス等を含む強アルカリ性水を誤って飲料用に供することもない。
【００３２】
なお、上記実施の形態では酸性水ｐＨ調整物質収納交換用中筒に識別用部材としてステンレスリングを使用し、外筒に金属センサーを設置したが、磁石に対し磁気センサーを用いる等、適宜他の識別用部材と対応するセンサーを用いてもよい。当然、識別用部材はアルカリ性水ｐＨ調整物質収納交換用中筒の方に設置してもよい。
【００３３】
なお、上記実施の形態ではカルシウムイオン濃度を上げる物質を添加して弱アルカリ性水を多量に生成したが、弱酸性水を多量に必要とする場合には両電極の極性を反対にすればよい。
【００３５】
【発明の効果】
以上説明した本発明によれば、請求項１記載の発明では陰陽両極室に入る水に酸性水のｐＨ値を下げる物質を添加し、陽極室から陰極室に流れ込み、その陰極室に設けた流出管より流れ出す酸性水の水流を発生させると共に、陽極室に塩素ガスを発生させているため、必要とする酸性水に塩素ガスが含まれ易く、アルカリ性水も混じり難くなる。それ故、ｐＨ値を下げて安定させた純度の高い強酸性水を得ることができる。しかも、その酸化還元電位を衛生水として好適な安定した値のものにすることができる。
【００３６】
又、請求項２記載の発明ではｐＨ調整物質添加槽を構成する同一の外筒内に、弱アルカリ性水が必要な場合にはカルシウムイオン濃度上昇物質を収納した中筒を入れて使用し、強酸性水が必要な場合にはｐＨ値下降物質を収納した中筒を入れて使用することにより、中筒を交換するだけの簡単な操作で、適宜飲料用等に好適な弱アルカリ性水と衛生水として好適な強酸性水を得ることができる。
【図面の簡単な説明】
【図１】本発明を適用したイオン水生成器に備えるアルカリ性水ｐＨ調整物質添加槽ユニットの要部を示す部分断面図である。
【図２】同アルカリ性水ｐＨ調整物質添加槽ユニットの動作時における水流方向等を示す模式図である。
【図３】同アルカリ性水ｐＨ調整物質添加槽ユニット使用時の電解槽における水流方向等を示す模式図である。
【図４】本発明を適用したイオン水生成器に備える酸性水ｐＨ調整物質添加槽ユニットの要部を示す部分断面図である。
【図５】同酸性水ｐＨ調整物質添加槽ユニットの動作時における水流方向等を示す模式図である。
【図６】同酸性水ｐＨ調整物質添加槽ユニット使用時の電解槽における水流方向等を示す模式図である。
【符号の説明】
１０……アルカリ性水ｐＨ調整物質添加槽ユニット  １２…アルカリ性水ｐＨ調整物質添加槽  １４…通水本管  １６、５８、７４、７６…流入管  １８…連通管  ２０…外筒  ２２…アルカリ性水ｐＨ調整物質収納交換用中筒  ２４…キャップ  ３２、５４、９０、９８…底壁  ３４、９４…水通過口  ３６…網  ４６…金属センサー  ４８、６０…流入管１６の一部、他部  ５０、８２…オリフィス  ５２…内部開口  ５６…乳酸カルシウム錠剤  ６２…電解槽  ６４、６６…陰、陽極室  ６８…隔膜  ７０、７２…陰、陽極  ７８、８０…流出管  ８４…酸性水ｐＨ調整物質添加槽ユニット  ８６…酸性水ｐＨ調整物質収納交換用中筒  ８８…酸性水ｐＨ調整物質添加槽  ９２…突出管  ９６…水通過空間部  １００…ステンレスリング  １０４…小孔  １０６…ｐＨ調整物質収納空間部
【図１】
0003905583.tif 000002
【図２】
0003905583.tif 000003
【図５】
0003905583.tif 000004
【図３】
0003905583.tif 000005
【図６】
0003905583.tif 000006
【図４】
0003905583.tif 000007